(57)【要約】      （修正有）【課題】収容体２の収容姿勢の保持及び／又は収容体２の脱落防止が可能であり、収容体２の陳列棚１への固定とスライドとを簡単に切り替えることのできる商品陳列具を提供する。【解決手段】収容体２の収容姿勢を保持するために、陳列棚１に形成された案内溝３に嵌合凹部９を垂直方向に形成し、収容体２に形成されたスライド材４に嵌合凹部９と嵌合して収容体２のスライドを制限する嵌合凸部１１を垂直方向に形成する。また、収容体２が陳列棚１から引き出されて、自重により収容体２の前方が下方向に傾いた時の収容体２の脱落を防止するために、案内溝３にストッパー凹部１０を垂直方向に形成し、ストッパー凹部１０に嵌合して収容体２のスライドを制限するストッパー凸部１２をスライド材４の上面に垂直方向に形成する。このとき、スライド材４の厚みと嵌合凸部１１の幅とストッパー凸部１２の幅との合計を、案内溝３の溝幅よりも小さく設定する。【選択図】図２
0003103019.tif 000002
【実用新案登録請求の範囲】
【請求項１】
陳列棚と、該陳列棚内に１又は複数設けられる収容体とから構成され、前記陳列棚及び前記収容体のいずれか一方にスライド材が形成され、他方にスライド材を前後方向へスライド可能に支持する案内溝が形成され、
収容体の収容姿勢を保持するために、前記スライド材及び前記案内溝のいずれか一方に嵌合凹部が垂直方向に形成され、他方に該嵌合凹部と嵌合して収容体のスライドを制限する嵌合凸部が垂直方向に形成され、
前記スライド材の厚みと前記嵌合凸部の幅との合計が、前記案内溝の溝幅よりも小さくされたことを特徴とする商品陳列具。
【請求項２】
陳列棚と、該陳列棚内に１又は複数設けられる収容体とから構成され、前記陳列棚及び前記収容体のいずれか一方にスライド材が形成され、他方にスライド材を前後方向へスライド可能に支持する案内溝が形成され、
前記収容体が陳列棚から引き出されて、自重により収容体の前方が下方向に傾いた場合の収容体の脱落を防止するために、前記スライド材及び前記案内溝のいずれか一方にストッパー凹部が垂直方向に形成され、他方に該ストッパー凹部に嵌合して収容体のスライドを制限するストッパー凸部が垂直方向に形成され、
前記スライド材の厚みと前記ストッパー凸部の幅との合計が、前記案内溝の溝幅よりも小さくされたことを特徴とする商品陳列具。
【請求項３】
陳列棚と、該陳列棚内に１又は複数設けられる収容体とから構成され、前記陳列棚及び前記収容体のいずれか一方にスライド材が形成され、他方にスライド材を前後方向へスライド可能に支持する案内溝が形成され、
収容体の収容姿勢を保持するために、前記スライド材及び前記案内溝のいずれか一方に嵌合凹部が垂直方向に形成され、他方に該嵌合凹部と嵌合して収容体のスライドを制限する嵌合凸部とが垂直方向に形成され、
前記収容体が陳列棚から引き出されて、自重により収容体の前方が下方向に傾いた場合の収容体の脱落を防止するために、前記スライド材及び前記案内溝のいずれか一方にストッパー凹部が垂直方向に形成され、他方に該ストッパー凹部に嵌合して収容体のスライドを制限するストッパー凸部が垂直方向に形成され、
前記スライド材の厚みと前記嵌合凸部の幅と前記ストッパー凸部の幅との合計が、前記案内溝の溝幅よりも小さくされたことを特徴とする商品陳列具。
【請求項４】
前記陳列棚の前面及び後面が開放され、該陳列棚に前記案内溝が設けられ、該案内溝の上面で前記陳列棚の前後方向に対して略中央に前記ストッパー凹部が設けられ、
前記収容容器に前記スライド材が設けられ、該スライド材の前端側及び後端側の上面にストッパー凸部が設けられたことを特徴とする請求項２又は３記載の商品陳列具。
【考案の詳細な説明】
【技術分野】
【０００１】
本考案は、スーパーマーケット、コンビニエンスストアー等の店内に、商品を陳列するために設置される商品陳列具に関する。
【背景技術】
【０００２】
商品を収納した１又は複数の収納体を、前後面が開放した陳列棚内に前後方向へ引き出し可能に設けた商品陳列具がある。購買者が収容体の商品を取り出す場合、または、販売者が収容体内に商品を補充するときなどには、収容体を陳列棚から前方に引き出せばよい。例えば、特許文献１に記載されている。
【０００３】
【特許文献１】実開平５−７４３５６号公報（段落０００５）
【考案の開示】
【考案が解決しようとする課題】
【０００４】
しかしながら、陳列棚の前後面が開放しているので、収容体の収容姿勢が定まらず、収容体が前あるいは後に飛び出た状態となり、外観上好ましいものではない。また、収容体を引き出した場合に、引き出しすぎて収容体が陳列棚から脱落してしまうおそれがある。このように、収容体の安定性には困難を伴っていた。
【０００５】
そこで、収容体の収容姿勢を保つには、収容体の収容時に収容体を陳列棚に固定すること、収容体が脱落しないようにするには、収容体を最大限に引き出したときに収容体を陳列棚に固定することが考えられる。しかしながら、収容体の陳列棚への固定と、スライドとを簡単に切り替えるのは困難であった。
【０００６】
本考案は、上記に鑑み、収容体の収容姿勢の保持及び／又は収容体の脱落防止が可能であり、収容体の陳列棚への固定とスライドとを簡単に切り替えることのできる商品陳列具を提供することを目的とする。
【課題を解決するための手段】
【０００７】
上記目的を達成するために、本考案は、陳列棚と、該陳列棚内に１又は複数設けられる収容体とから構成され、陳列棚及び収容体のいずれか一方にスライド材が形成され、他方にスライド材を前後方向へスライド可能に支持する案内溝が形成され、収容体の収容姿勢を保持するために、スライド材及び前記案内溝のいずれか一方に嵌合凹部が垂直方向に形成され、他方に該嵌合凹部と嵌合して収容体のスライドを制限する嵌合凸部が垂直方向に形成され、スライド材の厚みと嵌合凸部の幅との合計が、前記案内溝の溝幅よりも小さくされたことを特徴とする商品陳列具である。
【０００８】
収容体の収容している場合には、スライド材の嵌合凹部又は嵌合凸部と、それぞれ案内溝の嵌合凸部又は嵌合凹部とが嵌合するので、収容体を陳列棚に固定することができる。収容体が陳列棚から飛び出さないので、収容姿勢を保持できる。
【０００９】
収容体を引き出す場合には、スライド材の厚みと嵌合凸部の幅との合計が、前記案内溝の溝幅よりも小さく設定されているので、嵌合凸部と嵌合凹部とが離反する方向にスライド材を移動させて収容体を引き出せば、嵌合凹部と嵌合凸部との嵌合状態を簡単に解除して、収容体をスライド移動させることができる。なお、勘合凸部の幅とは、スライド材の厚み方向の幅のことである。
【００１０】
また、嵌合凹部及び嵌合凸部は垂直方向に設けられているので、収容体の成型がしやすく、水平方向に設けるよりもコンパクト化を図れる。また、嵌合凹部及び嵌合凸部は、それぞれスライド材と案内溝との接触面側に設けたほうが、両者が嵌合しやすいので好ましい。すなわち、収容体にスライド材を設け、陳列棚に案内溝を設けた場合は、スライド材の下面と案内溝の下面とが接触面となり、収容体に案内溝を設け、陳列棚にスライド材を設けた場合には、スライド材の上面と案内溝の上面とが接触面となる。なお、嵌合凸部の数は限定されるものではなく、単数でもよいが、２以上設ければ収容体を複数点で支持できるので好ましい。
【００１１】
また、収容体が陳列棚から引き出されて、自重により収容体の前方が下方向に傾いた場合の収容体の脱落を防止するために、スライド材及び案内溝のいずれか一方にストッパー凹部を垂直方向に形成し、他方に該ストッパー凹部に嵌合して収容体のスライドを制限するストッパー凸部を垂直方向に形成することができる。このとき、スライド材の厚みとストッパー凸部の幅との合計が、案内溝の溝幅よりも小さく設定される。なお、ストッパー凸部の幅とは、スライド材の厚み方向の幅のことである。
【００１２】
スライド材の厚みとストッパー凸部の幅との合計が案内溝の溝幅よりも小さく設定されているので、収容体が陳列棚から引き出されると、自重により収容体の前方が下方向に傾く。すると、ストッパー凹部にストッパー凸部が嵌合するので、収容体が一定の位置以上、引き出されないように設定することができる。また、収容体を陳列棚から取り外すときは、収容体が傾かないように支えながら水平方向に引き出せば、ストッパー凸部とストッパー凹部とが嵌合しあわないので、簡単に収容体を取り外すことができる。なお、ストッパー凸部及びストッパー凹部は、収容体が傾いたときにスライド材と案内溝とが接近する面に設ける。
【００１３】
また、嵌合凹部及び嵌合凸部と、ストッパー凹部及びストッパー凸部との両方を設ける形態としてもよい。この場合、スライド材の厚みと嵌合凸部の幅とストッパー凸部の幅との合計が、案内溝の溝幅よりも小さく設定すればよい。
【００１４】
陳列棚の前面及び後面を開放し、該陳列棚に案内溝を設け、該案内溝の上面で陳列棚の前後方向に対して略中央にストッパー凹部を設け、収容容器にスライド材を設け、該スライド材の前端側及び後端側の上面にストッパー凸部を設けることができる。陳列棚の前後面を開放すると共に、ストッパー凹部を中央に設けることにより陳列棚の前後の区別がなくなるので、陳列棚の前後の両面から収容体を設置することができる。
【００１５】
さらに、ストッパー凸部をスライド材の前後端の両方側に設けることにより、収容体を前方側から引き出した場合には後方側のストッパー凸部が案内溝のストッパー凹部に嵌合し、収容体を後方側から引き出した場合には、前端側のストッパー凸部がストッパー凹部に嵌合する。したがって、収容体の前方側を陳列棚の前面から、後方側を陳列棚の後面から引き出すことが可能となる。
【考案の効果】
【００１６】
以上の説明から明らかな通り、本考案に係る商品陳列具は、収容体の収容した場合には、案内溝の嵌合凹部と収容体の嵌合凸部とが嵌合するために、収容体のスライドを制限することができ、収容体を引き出した場合には、収容体の自重により収容体の前方が下方向に傾き、収容体の側壁上面に形成されたストッパー凸部が、陳列棚の案内溝の上面に形成されたストッパー凹部に嵌合するので、収容体が陳列棚から脱落するのを防止することができる。
【００１７】
また、収容体のスライド材の厚み、嵌合凸部及びストッパー凸部の総厚みよりも僅かに幅広に設定するとともに、嵌合凸部、嵌合凹部、ストッパー凸部及びストッパー凹部の全てを垂直方向に形成しているので、収容体のスライド部を上下に移動させたり、傾きを変えたりすることにより、簡単に、収容体の陳列棚への固定とスライドとの切換えをすることができる。
【考案を実施するための最良の形態】
【００１８】
以下、本考案の実施形態を図面に基づいて説明する。図１は本商品陳列具の正面図、図２は同じく右側面図、図３は収容体を除く図１のＡ−Ａ断面図、図４は使用状態を示す収容体の参考斜視図、図５は収容体の正面図、図６は収容体の右側面図、図７は回動板を前傾させた状態を示す収容体の右側面図、図８は図５のＢ−Ｂ断面図、図９（ａ）は収容体の収容時の状態を示す一部拡大図、（ｂ）は、収容体の引き出し途中の状態を示す一部拡大図、（ｃ）は収容体を引き出した状態を示す一部拡大図である。図２は陳列棚の右側の側壁を透視して表し、陳列棚の溝を破線で表している。図４は煙草の箱等の商品を仮想線で表している。図９はスライド材と案内溝との関係を示す図であり、図中の矢印は収容体の引き出し方向（スライド材のスライド方向）を示す。なお、本実施形態においては、商品としてたばこを例示するが、他の食品、生活用品等の種々の商品に適用可能である。
【００１９】
本商品陳列具は、図１に示すように、陳列棚１と、該陳列棚１内に１又は複数設けられる収容体２とから構成され、陳列棚１に設けられた案内溝３が、収容体２に形成されたスライド材４を前後方向へスライド可能に支持する。本実施形態においては、収容体２が陳列棚１に上下に２個配されるが、その数及び配置は限定されるものではなく、単数又は２以上設けて構わない。
【００２０】
陳列棚１は、前方及び後方が開放された合成樹脂製のケースであり、図３に示すように、収容体２をスライド可能に支持する案内溝３と、陳列棚１内を上下に区画する区画板５とが設けられる。案内溝３は、陳列棚１の両側の側壁の内面に、前後方向に形成され、その溝端が陳列棚１の側壁の前後縁で開放している。なお、合成樹脂としては、塩化ビニル、アクリル等が例示されるが、これに限定されるものではない。
【００２１】
収容体２は、商品を収容する前面及び上面開口の合成樹脂製の容器であり、両側の側壁２ｂの上端から外側方向に拡がって形成されるフランジ４と、商品を開口側に押圧する押圧手段６と、収容体２の開口に設けられる回動板７とが設けられる。フランジ４は、陳列棚１の案内溝３に嵌合して前後にスライド可能なスライド材４となる。また、収容体２内は、前後方向に隔壁８が立設されることにより、商品収容可能な５つの空間に区画され、各空間に押圧手段６及び回動板７が設けられる。
【００２２】
押圧手段６は、図４〜図８に示すように、商品に接触して商品を押圧する押圧板６ａと、押圧板６ａが商品を押圧する原動力となるコンストンばね６ｂと、押圧板６ａの背面に固定され、コンストンばね６ｂを収容するばね収容室６ｃとから構成される。ばね収容室６ｃの下面に形成されたかぎ状の２つの掛止体６ｄが、収容体２の底板に前後方向に形成された２つの長孔２ａに掛止することにより、押圧手段６が収容体２内を前後方向にスライド可能とされる。コンストンばね６ｂはばね収容室６ｃに収容されると共に、一端がばね収容室６ｃに固定され、他端がばね収容室６ｃの底板及び収容体２の底板を貫通して収容体２の前方側の底面に固定される。したがって、押圧手段６は、コンストンばね６ｂの巻取力によって収容体２前方方向への付勢力を有する。なお、コンストンばね６ｂとは、巻き取る力が常に一定な、金属製の薄板帯状の渦巻きばねである。
【００２３】
回動板７は、側壁７ａを有する断面コの字状の板であり、収容体２の前面開口と対向して設けられる。回動板７の側壁７ａが収容体２の側壁２ｂの前端に回動自在に軸支されることにより、回動板７が前傾可能となる。回動板７を前傾させれば、収容体２の最前列に収容されている商品も同時に前傾するので、商品を取り出しやすい。また、回動板７本体の前面の下部には、袋状のカード入れが形成される。カード入れに商品名等のカードを収納して、商品名を掲示することができる。
【００２４】
次に、案内溝３とスライド材４との位置関係を明らかにしながら、陳列棚１の案内溝３に設けられる嵌合凹部９及びストッパー凹部１０と、収容体２のスライド材４に設けられる嵌合凸部１１及びストッパー凸部１２との構成を説明する。なお、案内溝３の溝幅は、収容体２のスライド材４の厚みと嵌合凸部１１の幅とストッパー凸部１２の幅との合計よりも幅広に形成される。溝幅とは、嵌合凹部９及びストッパー凹部１０が形成されていない位置における溝の幅のことである。
【００２５】
図２に示すように、収容体２を完全に陳列棚１内に収容した位置にあるときにおいて、案内溝３の下面に垂直方向に嵌合凹部９が形成され、それと対向する位置のスライド材４の下面に垂直方向に嵌合凸部１１が隆起形成される。嵌合凸部１１と嵌合凹部９とが嵌合状態となることにより、収容体２のスライドが制限される。嵌合凸部１１及び嵌合凹部９は、前後端の２箇所に形成され、それぞれ前後端からの距離が同一の位置に形成される。したがって、陳列棚１と収容体２との組み合わせの向きが限定的ではなくなるので、収容体２を陳列棚１の前後面の両方向から設置することができる。また、嵌合凹部９の形状は、前後方向の壁面の勾配をなだらかにすれば、嵌合凸部１１との嵌合状態を解除しやすい。
【００２６】
また、陳列棚１の前後方向に対して略中央で陳列棚１の案内溝３の上面に、垂直方向にストッパー凹部１０が形成される。そして、収容体２のスライド材４の上面で、前端及び後端の２箇所にストッパー凸部１２が隆起形成される。収容体２を引き出したときに、その自重により収容体２の前面が下方に傾いたときに、ストッパー凸部１２がストッパー凹に嵌合するので、収容体２の脱落を防止することができる。ストッパー凹部１０は、陳列棚１の前後方向に対して略中央に形成されるので、収容体２を陳列棚１の前後両方向から設置できる。また、ストッパー凸部１２は、収容体２の前後端の両方に形成されているので、収容体２を前方から引き出せば後端側のストッパー凸部１２がストッパー凹部１０に嵌合し、後方から引き出せば前端側のストッパー凸部１２がストッパー凹部１０に嵌合するので、前後のどちらの方向からでも引き出すことができる。
【００２７】
以上の構成によると、収容体２の収容時には、図９（ａ）に示すように、案内溝３の嵌合凹部９と、収容体２の嵌合凸部１１とが嵌合するために、収容体２のスライドを制限することができる。そして、収容体２を引き出すときには、図９（ｂ）に示すように、収容体２を持ち上げるようにして引き出せば、簡単に嵌合状態（固定状態）を解除することができる。なぜならば、案内溝３の溝幅は、収容体２のスライド材４の厚み、嵌合凸部１１及びストッパー凸部１２の総厚みよりも僅かに幅広に設定されているからであり、収容体２を持ち上げれば、嵌合凸部１１と嵌合凹部９との嵌合状態をはずすことができる。そして、その状態で引き出せば、スライド材４、嵌合凸部１１及びストッパー凸部１２の全てが案内溝３にひっかかることなく、移動させることができるからである。
【００２８】
収容体２を引き出していけば、図９（ｃ）に示すように、案内溝３の溝幅が、収容体２のスライド材４の厚み、嵌合凸部１１及びストッパー凸部１２の総厚みよりも僅かに幅広に設定されているので、収容体２の自重により収容体２の前方が下方向に傾き、収容体２の後端が案内溝３の上方に近づく。このとき、収容体２の側壁上面に形成されたストッパー凸部１２が、陳列棚１の案内溝３の上面に形成されたストッパー凹部１０に嵌合するので、収容体２のスライドを制限する。したがって、収容体２が陳列棚１から脱落するのとを防止することができる。そして、収容体２をスライドさせるときには、収容体２が傾かずに水平状態になるように支えれば、簡単に嵌合状態（固定状態）を解除することができる。また、収容体２を陳列棚１から取り外したいときにも、収容体２が傾かないように水平状態を保ちながら引き出せば、ストッパー凸部１２がストッパー凹部１０に嵌合しないので、簡単に収容体２を陳列棚１から抜き出すことができる。
【００２９】
また、嵌合凹部９及び嵌合凸部１１をそれぞれ陳列棚１及び収容体２の前後端から同一距離の位置に形成し、ストッパー凹部１０を陳列棚１の前後方向に対して略中央位置に形成しているので、収容体２を陳列棚１の前面及び後面のどちらからでも収容することができる。また、収容体２は、その前端の側壁上面にもストッパー凸部１２が形成されているので、陳列棚１の後面側から収容体２の後方側を引き出しても、ストッパー機能を発揮できる。
【００３０】
また、嵌合凸部１１及びストッパー凸部１２はそれぞれスライド材４の下面及び上面に形成され、それぞれと対向する案内溝３の位置に嵌合凹部９及びストッパー凹部１０が形成されている。したがって、これらすべてが垂直方向の同一平面上に形成されているので、本商品陳列具のコンパクト化を図ることができる。
【図面の簡単な説明】
【００３１】
【図１】本商品陳列具の正面図
【図２】同じく右側面図
【図３】収容体を除く図１のＡ−Ａ断面図
【図４】使用状態を示す収容体の参考斜視図
【図５】収容体の正面図
【図６】収容体の右側面図
【図７】回動板を前傾させた状態を示す収容体の右側面図
【図８】図５のＢ−Ｂ断面図
【図９】（ａ）は、収容体の収容時の状態を示す一部拡大図                              （ｂ）は、収容体の引き出し途中の状態を示す一部拡大図                          （ｃ）は、収容体を引き出した状態を示す一部拡大図
【符号の説明】
【００３２】
１    陳列棚
２    収容体
３    案内溝
４    スライド材（フランジ）
９    嵌合凹部
１０  ストッパー凹部
１１  嵌合凸部
１２  ストッパー凸部
【図１】
0003103019.tif 000003
【図２】
0003103019.tif 000004
【図３】
0003103019.tif 000005
【図４】
0003103019.tif 000006
【図５】
0003103019.tif 000007
【図６】
0003103019.tif 000008
【図７】
0003103019.tif 000009
【図８】
0003103019.tif 000010
【図９】
0003103019.tif 000011